(57)【要約】【課題】  ハウス外の戸外に簡単に設置でき、除湿換気の能力も向上させることができる除湿換気装置を提供する。【解決手段】  ハウスの屋外に設置する除湿換気装置であって、枠体が縦長で横幅が狭い形状で、枠体の側面中段に外気を取り入れる外気開口及び開口に雨よけ用下向きグリルを設け、枠体の前面下段部の排気する排気開口及び開口に雨よけ用下向きグリルを設け、かつ、雨よけ用下向きグリルの下方近傍にドレイン水出口を配置し、枠体の背面の上段部はハウス内に連なる還気口と給気口を配置し、枠体内の中段部には顕熱交換器を設けて、外気が外気開口から顕熱交換器を通過して給気開口に連通する通路と、ハウス内の還気が還気開口から顕熱交換器を通過して排気開口に連通する通路とを設けハウス内の還気空気と外気とを置換してハウス内の絶対湿度と相対湿度とを低下させる。【選択図】図５
2014020768.tif 000002
【特許請求の範囲】
【請求項１】
ハウスの屋外に設置する除湿換気装置であって、
枠体が縦長で横幅が狭い形状で、枠体の側面中段に外気を取り入れる外気開口及び該開口に雨よけ用下向きグリルを設け、
枠体の前面下段部の排気する排気開口及び該開口に雨よけ用下向きグリルを設け、かつ、該雨よけ用下向きグリルの下方近傍にドレイン水出口を配置し、
枠体の背面の上段部はハウス内に連なる還気口と給気口を配置し、
枠体内の中段部には顕熱交換器を設けて、外気が外気開口から該顕熱交換器を通過して給気開口に連通する通路と、ハウス内の還気が還気開口から該顕熱交換器を通過して排気開口に連通する通路とを設けハウス内の還気空気と外気とを置換してハウス内の絶対湿度と相対湿度とを低下させることを特徴とする除湿換気装置。
【請求項２】
前記枠体の下段部には排気室を配置して排気ファンと排気ファン駆動モータを設け、上段には給気室を配置して給気ファンと該ファン駆動モータを設け、排気ファン駆動モータにはモータ枠体を設けてモータを覆い、該モータ枠体の適所には外気の一部を導入する配管を設けるとともに、モータの発熱により暖まった空気を給気室に導入する配管を設けたことを特徴とする請求項１に記載の除湿換気装置。
【請求項３】
前記枠体の上段部には給気室を配置して給気ファンと該ファン駆動モータを設け、該ファン駆動モータは給気室に露出させ、モータの発熱により暖まった空気を給気に混入させることを特徴とする請求項１又は２に記載の除湿換気装置。
【発明の詳細な説明】
【技術分野】
【０００１】
本発明は、ハウス内の除湿換気装置に関し、特に、農事用ハウスにおいて、秋冬季の寒冷期における夜間の結露を防ぐ農事用の除湿換気装置に関する。
【背景技術】
【０００２】
従来の外気を導入し顕熱交換器を使用して除湿を行うことは、例えば、特許文献１、２に示すように公知であり、住宅用や厨房用の除湿換気扇として用いられていた。
ところで、冬季等の寒冷期の農事用ハウス内には元々水分あり、その他にも作物の葉にある気孔から呼吸作用によるハウス内への水分や、地面付近を這わせるソックダクトからの伝熱や、明け方の日射の熱によって土中の水分が蒸発する。その結果、ハウス内が高湿になり、結露が生じると、灰色カビ病などが発生し収穫を落とすこともあった。この対策のため、絶対湿度の低い外気（ＯＡ）を取り入れてハウス内の相対湿度を下げるようにすることがあるが、ハウス内の温度を外気の温度に低下してしまうので、加温装置で所定の温度に上げる必要があり、暖房経費が高く付く等の問題があった。
特許文献１等の除湿装置を農事用ハウスに用いると、特に、外気を取り入れて絶対湿度を下げるとともに、顕熱交換器によって給気（ＳＡ）の温度を高めることができ、暖房装置の稼働率を下げることができる。
【０００３】
この原理を図１で説明すると、例えば、秋冬季等の寒冷期での絶対湿度が低い空気（ＯＡ）をハウスａ内に給気（ＳＡ）（一点鎖線）するが、この空気を入れ替える際に、それまでの暖まっているハウス内の還気（ＲＡ）を利用するもので、これは顕熱交換器ｂを用いて導入する外気（ＯＡ）の温度のみを上昇させて給気（ＳＡ）とし、温めるために利用した外気（ＯＡ）は冷やされ排気（ＥＡ）（実線）する。
次に、この顕熱交換器を使用した除湿換気装置のハウスでの従来の使用方法として、農事ハウス内に厨房用を転用した天井吊り下げ型の除湿換気装置を設置した１例を、図２に沿って説明する。図２において、通常、冬季のハウス内の天井に天井吊り下げ型の除湿換気装置ｃを設置するが、ハウスａと屋外との境近傍には結露防止のために外気（ＯＡ）ダクト、及び、排気（ＥＡ）ダクトには断熱材ｄを設け、絶対湿度が低い外気（ＯＡ）を顕熱交換器ｂを通過させて温めてハウスａ内に給気（ＳＡ）として供給し、ハウス内の高温高湿の還気（ＳＡ）の高温を顕熱交換器ｂで熱交換して排気（ＥＡ）として排出する。
【先行技術文献】
【特許文献】
【０００４】
【特許文献１】特許第４４３２５５６号公報
【特許文献２】実開平２−１０３６４０号公報
【発明の開示】
【発明が解決しようとする課題】
【０００５】
しかしながら、上記従来のハウス、特に、農事用ハウス内の天井に除湿換気装置を設置すると、設置スペース分の生産減になるばかりか、日射を遮ることでの収穫量減を余儀なくされていた。また、天井に設置することで設置箇所の作成や断熱材を使用する等の部材が必要であり、設置作業が容易ではなく、設置費用も嵩むといった問題点があった。
本発明はこのような問題点に鑑みてなされたもので、戸外に設置しても従来の天井吊り下げ型の除湿換気装置と同じ作動が確保でき、設置部材を少なくし、且つ、ハウス外の戸外に簡単に設置でき、除湿換気の能力も向上させることができる除湿換気装置を提供しようとするものである。
【課題を解決するための手段】
【０００６】
上記課題を解決するために、請求項１の発明は、ハウスの屋外に設置する除湿換気装置であって、枠体が縦長で横幅が狭い形状で、枠体の側面中段に外気を取り入れる外気開口及び該開口に雨よけ用下向きグリルを設け、枠体の前面下段部の排気する排気開口及び該開口に雨よけ用下向きグリルを設け、かつ、該雨よけ用下向きグリルの下方近傍にドレイン水出口を配置し、枠体の背面の上段部はハウス内に連なる還気口と給気口を配置し、枠体内の中段部には顕熱交換器を設けて、外気が外気開口から該顕熱交換器を通過して給気開口に連通する通路と、ハウス内の還気が還気開口から該顕熱交換器を通過して排気開口に連通する通路とを設けハウス内の還気空気と外気とを置換してハウス内の絶対湿度と相対湿度とを低下させることを特徴とする除湿換気装置である。
請求項２の発明は、請求項１に記載の除湿換気装置において、前記枠体の下段部には排気室を配置して排気ファンと排気ファン駆動モータを設け、上段には給気室を配置して給気ファンと該ファン駆動モータを設け、排気ファン駆動モータにはモータ枠体を設けてモータを覆い、該モータ枠体の適所には外気の一部を導入する配管を設けるとともに、モータの発熱により暖まった空気を給気室に導入する配管を設けたことを特徴とする。
請求項３の発明は、請求項１又は２に記載の除湿換気装置において、前記枠体の上段部には給気室を配置して給気ファンと該ファン駆動モータを設け、該ファン駆動モータは給気室に露出させ、モータの発熱により暖まった空気を給気に混入させることを特徴とする。
【発明の効果】
【０００７】
請求項１の除湿換気装置によれば、除湿換気装置をハウス外の戸外に設置するので、設置スペース分の生産減になることはなく、日射を遮ることがなく収穫量減もない。
枠体の背面上段はハウス内に連なる還気口と給気口を設けたので、ハウス内の高い位置から給気できるので、天井吊り下げ型の除湿換気装置と同様の作動が得られ、また、断熱材が必要な箇所は給気口や給気室だけなので、断熱材を利用する部分が大幅に少なくなり断熱材の経費も少なくてすむ。
また、外気開口と排気開口の方向が異なるので、排気が回り込むことがなく、且つ、ダクトや断熱材を用いる必要がない。また、結露が生じてもドレイン水出口が排気開口及び雨よけ用下向きグリルの下側近傍に配置されているので、ドレイン水が散乱して結露が１箇所に溜まり凍結することがない。また、外気開口は枠体の中段部の側面と比較的高い位置としたので、より高い温度の空気を利用でき、特に、霜が降るような条件では、地表部分の温度が最も低くこの地表から遠ざけることができ、降雨による泥の跳ね上げ等も避けることができる。
更に、除湿換気装置を戸外に設置することから、戸外の開口には雨よけ用下向きグリルを設けたので、枠体内部に雨水等が入り込むことが少なくすることができる。
請求項２及び３の除湿換気装置によれば、請求項１の作用・効果に加えて、送風機の稼働モータの発熱量を排熱するのではなく、外気を暖めて給気に用いたので、別途加熱器を設けることなくより省エネになる。
【図面の簡単な説明】
【０００８】
【図１】本発明の顕熱交換器を用いる除湿換気装置の作用を説明する図、
【図２】従来の顕熱交換器を用いる除湿換気装置の概略図、
【図３】本発明の顕熱交換器を用いた除湿換気装置の実施例の概略図、
【図４】本発明の実施例に用いた顕熱交換器の斜視図、
【図５】図５（ａ）は本発明の顕熱交換器を用いた除湿換気装置の実施例の側面図、図５（ｂ）は図５（ａ）のＡ部分の拡大図、
【図６】図５（ａ）の正面からの部分透視正面図、
【図７】図５（ａ）の背面からの部分透視背面図である。
【発明を実施するための形態】
【０００９】
本発明のハウスに用いる除湿換気装置、特に、土壌が露出しトマト等の農作物や花栽培等の農事用ハウスに適用した除湿換気装置の好適な実施例を図面を参照して説明する。
【実施例１】
【００１０】
図３に示すように、本実施例の除湿換気装置１は縦長薄型の形状で農事用ハウスａに隣接した戸外に配備されている。具体的には、図５〜７に示すように、枠体２は縦長（図６：高さＨ）で横巾（図６：巾Ｗ）が狭く、薄い（図５（ａ）：奥行きＤ）形状で、枠体２内は主に上段部Ａ、中段部Ｂ、下段部Ｃの３段に区切られ、中段部Ｂの枠体の両側面２２ａ、２２ｂには外気ＯＡを取り入れる外気口３及び該外気開口３１に雨よけ用下向きグリル３２が設けられ、枠体２の前面２１の下段部Ｃの排気する排気口４及び該開口４１には、図５（ａ）のＡ部分の拡大した図５（ｂ）に示すように、雨よけ用下向きグリル４２が設けられ、この雨よけ用下向きグリル４１の下方近傍にドレイン水出口５１が配置され、下段底部に設けられたドレインパン５に貯まった結露等の水を排出する。この排気開口４及び該開口に雨よけ用下向きグリル４１からの下向きの排気ＥＡにより、ドレイン水が散乱して結露した水分のドレイン水が１箇所に溜まり凍結することがない。なお、雨よけ用下向きグリル３２、４２は、図５、６に示すように、上側に張出部３２１，４２１と下向の開口部３２２，４２２からなり上方からの雨水の進入を遮るとともに、下向きの排気ＥＡ及び下方からの外気ＯＡを吸い込むような形状である。
【００１１】
［顕熱交換器６］  
主に図５（ａ）に示すように、枠体２内の中段部Ｂには顕熱交換器６を設けるが、この顕熱交換器６は金属製で両側面６１は６角型であり、両側面６１の間には狭い間隔の空気通路が横方向に積層されており、外気通路６２と還気通路６３は交互に積層されている。
前面の手前の上部斜行面６４は還気通路６３が解放され外気通路６２が閉鎖されており、手前の下部斜行面６５は逆に外気通路６２が解放され、還気通路６３が閉鎖されている。また、背面の上部斜行面６６は外気通路６２が解放され還気通路６３が閉鎖されており、背面の下部斜行面６７は逆に還気通路６３が解放され、外気通路６２が閉鎖されている。
したがって、外気は一点鎖線に示すように、顕熱交換器６の手前の下部斜行面６４の解放されている外気通路６２から導入され、顕熱交換器６で熱交換しながら、背面の上部斜行面６６の解放されている外気通路６２から後述する給気室に案内される。一方、還気ＲＡは実線に示すように、背面の上部斜行面６５の解放されている還気通路６３から導入され、顕熱交換器６で熱交換しながら、背面の下部斜行面６６の解放されている還気通路６２から排気室に案内される。
本実施例の顕熱交換器６は、従来のような側面が正方形ではなく縦長の六角形であるので、同じ熱交換面積で縦長で奥行きを短くでき、薄くできるので、本実施例の除湿換気装置１の奥行きも薄くでき、設置面積を小さくすることができる。
【００１２】
［上段部Ａ、中段部Ｂ、下段部Ｃ］
次に、枠体２の内部の上段部Ａ、中段部Ｂ、下段部Ｃの構成を説明する。
図５（ａ）に示すように、枠体２の上段部Ａには、別通路を形成する還気開口７１を含む広い給気室８２が構成されている。この給気室８２は給気ファン８３とファンを駆動するファン駆動モータ８４が配置されており、給気開口８１が給気ファン８３の吹き出し側とダクト８５で連通しており、給気ファン８３の吸い込み側は、給気室８２の底面に設けられ、中段部Ｂに設けた顕熱交換器６の一方の上部斜行面６６の外気通路６２に連通する。また、ハウス室内空気を換気するために吸い込む還気開口７１は、この給気室７２内を横断するように、還気開口７１とこれに連絡する還気ダクト７２が気密に配置され、還気ダクト７２は換気室７３を介して中段部Ｂに設けた顕熱交換器６の他方の上部斜行面６４の還気通路６３に連通する。
枠体２の中段部Ｂには外気口３の外気開口３１が設けられ、この外気開口３１顕熱交換器６の下部斜行面６５は逆に外気通路６２とを含む外気室３２が設けられる。
枠体２の下段部Ｃの大部分は排気室４３で構成され、この排気室８３には排気開口４１を含む排気ファン４４とこのファンを駆動するファン駆動モータ４５が配置されており、排気ファン４４の吹出し側は排気開口４１にダクト４６で連結されている。
また、排気室８３の底面には、枠内２で結露した水分を集めるドレインパン５、及び、ドレインパン５に連通する枠体２の前面２１の外側に突出したドレイン水出口５１が設けられている。
【００１３】
［空気の流れ］
ここで、外気ＯＡ及び還気ＲＡの空気の流れを図５に沿って通路構成を説明する。
図５（ａ）で、外気ＯＡ（一点鎖線）は、下流の給気ファン８３の吸引によって、外気開口３１から外気室３２に導入され、顕熱交換器６の下部斜行面６４の外気通路６２から導入され、顕熱交換器６で熱交換した後に、上部斜行面６６の外気通路６２から給気室８２に導入され、給気ファン８３に吸い込まれ、給気ファン８３の吹出口から給気ＳＡとなって給気開口８１からハウス内に給気される。
一方、湿度の高い還気ＲＡ（実線）は、下流の排気ファン４４の吸引によって、還気開口７１及び還気ダクト７２から導入され、顕熱交換器６の上部斜行面６４の還気通路６３に吸い込まれ、顕熱交換器６で熱交換した後に、下部斜行面６７の還気通路６２にから排気室４３に導入され、排気ファン４４に吸い込まれ、排気ファン４４の吹き出し口から排気開口４１からハウス外の屋外に排気ＥＡされる。
【００１４】
［駆動モータの発熱回収］
本実施例のもう一つの特徴は、従来はこれを排熱していた排気用駆動モータの発熱を給気に利用することであり、これを図５〜図７を用いて説明する。
換気用の駆動モータの発熱量は大きく、駆動モータの発熱回収機構９を説明するが、先ず、排気ファン４４の駆動モータ４５については、駆動用のファン駆動モータ４５の全体を覆うようにモータ枠体９１を設け、モータ枠体９１の下部空間９２と外気室３２とを連通する外気配管９３を設け、一方、モータ枠体９１の上部空間９３と給気室８２とを連通する給気配管９４を設ける。
このような構成であるので、給気室８２の給気ファン８３によってモータ枠体９１の空気を吸い上げられるが、モータ枠体９１内に外気配管９３によって外気を取り入れ、ファン駆動モータ４５の発熱により、この外気が温められモータ枠体９１の天井近辺に上昇し、この温まった外気は給気配管９４によって給気室８２に導入され、顕熱交換器６で温まった給気と混ざってハウスａ内に給気ＳＡされる。
次に、給気ファン８の駆動モータ８３については、ファン駆動モータ８４は給気室８２に露出させ、ファン駆動モータ８４の発熱により暖まった空気が給気に混入する。
したがって、駆動モータの発熱が給気に加かるので、別途に加熱装置を必要がなく、少なくとも加熱負荷を軽減することができる。
【００１５】
［作用］
本発明の除湿換気装置の実施例によれば、除湿換気装置１をハウスａ外の戸外に設置するので、設置スペース分の生産減になることはなく、日射を遮ることがなく収穫量減もない。
枠体２の背面２３の上段部Ａはハウスａ内に連なる還気口７と給気口８を設けたので、ハウスａ内の高い位置から給気できるので、天井吊り下げ型の除湿換気装置と同様の作動が得られる。また、断熱材が必要な箇所は給気口８１や給気室８２だけなので、断熱材を利用する部分が大幅に少なくなり断熱材の経費も少なくてすむ。
さらに、外気開口３１は枠体２の両側面２２と排気開口の前面２１との空気流の方向が異なるので、排気が回り込むことがなく、且つ、ダクトや断熱材を用いる必要がない。また、結露が生じてもドレイン水出口５１が排気開口４１及び雨よけ用下向きグリル４２の下側近傍に配置されているので、ドレイン水が散乱して結露が１箇所に溜まり凍結することがない。また、外気開口３１は枠体２の中段部Ｃの側面と比較的高い位置としたので（もっともできれば中段部より上にすることが望ましく）、このことにより高い温度の空気を利用でき、特に、霜が降るような条件では、地表部分の温度が最も低くこの地表から遠ざけることができ、降雨による泥の跳ね上げ等も避けることができる。
また、除湿換気装置１を戸外に設置することから、戸外の開口には雨よけ用下向きグリル３２を設けたので、枠体２内部に雨水等が入り込むことが少なくすることができる。
また、排気ファン（送風機）４４の駆動モータ（送風機）４５の発熱量を排熱するのではなく外気を温めて給気に用い、また、給気ファン８３の駆動モータ８４を給気室８２内に露出したので駆動モータ８４の発熱を給気に加えることができるので、別途加熱器を設けること、或いは加熱費用を節減できより省エネになる。
なお、本発明の特徴を損なうものでなければ、上記の各実施例に限定されるものでないことは勿論であり、例えば、本実施例はトマト等の農作物や花栽培等の農事用ハウスに用いた除湿換気装置を説明したが、寒冷期に室（ハウス）内での湿気や結露を避ける花栽培等ハウスや納屋や倉庫等に用いても良いことは勿論である。
【符号の説明】
【００１６】
ａ  ・・農事用ハウス、Ａ・・上段部、Ｂ・・中段部、Ｃ・・下段部、
１・・除湿換気装置、
２・・枠体、２１・・前面、２２・・側面、２３・・背面
３・・外気口、３１・・外気開口、３２・・外気室
３２・・雨よけ用下向きグリル、３２１・・張出部、３２２・・開口部、
４・・排気口、４１・・排気開口、
４２・・雨よけ用下向きグリル、４２１・・張出部、４２２・・開口部、
４３・・排気室、４４・・排気ファン、４５・・駆動モータ、４６・・ダクト
５・・ドレインパン、５１・・ドレイン水出口、
６・・顕熱交換器、６１・・側面、６２・・外気通路、６３・・還気通路、
６４・・手前の上部斜行面、６５・・手前の下部斜行面、
６６・・背面の上部斜行面、６７・・背面の下部斜行面６７
７・・還気口、７１・・還気開口、７２・・還気ダクト、７３・・還気室
８・・給気口、８１・・給気開口、８２・・給気室、
８３・・  給気ファン、８４・・駆動モータ、８５・・ダクト、
９・・駆動モータの発熱回収機構、９１・・モータ枠体、
９２・・下部空間、９３・・外気配管、９４・・給気配管、９５・・上部空間
【図１】
2014020768.tif 000003
【図２】
2014020768.tif 000004
【図３】
2014020768.tif 000005
【図４】
2014020768.tif 000006
【図５】
2014020768.tif 000007
【図６】
2014020768.tif 000008
【図７】
2014020768.tif 000009
【手続補正書】
【提出日】平成24年7月30日(2012.7.30)
【手続補正１】
【補正対象書類名】明細書
【補正対象項目名】全文
【補正方法】変更
【補正の内容】
【発明の詳細な説明】
【技術分野】
【０００１】
本発明は、ハウス内の除湿換気装置に関し、特に、農事用ハウスにおいて、秋冬季の寒冷期における夜間の結露を防ぐ農事用の除湿換気装置に関する。
【背景技術】
【０００２】
従来の外気を導入し顕熱交換器を使用して除湿を行うことは、例えば、特許文献１、２に示すように公知であり、住宅用や厨房用の除湿換気扇として用いられていた。
ところで、冬季等の寒冷期の農事用ハウス内には元々水分があり、その他にも作物の葉にある気孔から呼吸作用によるハウス内への水分や、地面付近を這わせるソックダクトからの伝熱や、明け方の日射の熱によって土中の水分が蒸発する。その結果、ハウス内が高湿になり、結露が生じると、灰色カビ病などが発生し収穫を落とすこともあった。この対策のため、絶対湿度の低い外気（ＯＡ）を取り入れてハウス内の相対湿度を下げるようにすることがあるが、ハウス内の温度が外気の温度に低下してしまうので、加温装置で所定の温度に上げる必要があり、暖房経費が高く付く等の問題があった。
特許文献１等の除湿装置を農事用ハウスに用いると、特に、外気を取り入れて絶対湿度を下げるとともに、顕熱交換器によって給気（ＳＡ）の温度を高めることができ、暖房装置の稼働率を下げることができる。
【０００３】
この原理を図１で説明すると、例えば、秋冬季等の寒冷期での絶対湿度が低い空気（ＯＡ）をハウスａ内に給気（ＳＡ）（一点鎖線）するが、この空気を入れ替える際に、それまでの暖まっているハウス内の還気（ＲＡ）を利用するもので、これは顕熱交換器ｂを用いて導入する外気（ＯＡ）の温度のみを上昇させて給気（ＳＡ）とし、温めるために利用した外気（ＯＡ）は冷やされ排気（ＥＡ）（実線）する。
次に、この顕熱交換器を使用した除湿換気装置のハウスでの従来の使用方法として、農事ハウス内に厨房用を転用した天井吊り下げ型の除湿換気装置を設置した１例を、図２に沿って説明する。図２において、通常、冬季のハウス内の天井に天井吊り下げ型の除湿換気装置ｃを設置するが、ハウスａと屋外との境近傍には結露防止のために外気（ＯＡ）ダクト、及び、排気（ＥＡ）ダクトには断熱材ｄを設け、絶対湿度が低い外気（ＯＡ）を顕熱交換器ｂに通過させて温めてハウスａ内に給気（ＳＡ）として供給し、ハウス内の高温高湿の還気（ＳＡ）の高温を顕熱交換器ｂで熱交換して排気（ＥＡ）として排出する。
【先行技術文献】
【特許文献】
【０００４】
【特許文献１】特許第４４３２５５６号公報
【特許文献２】実開平２−１０３６４０号公報
【発明の開示】
【発明が解決しようとする課題】
【０００５】
しかしながら、上記従来のハウス、特に、農事用ハウス内の天井に除湿換気装置を設置すると、設置スペース分の生産減になるばかりか、日射を遮ることでの収穫量減を余儀なくされていた。また、天井に設置することで設置箇所の作成や断熱材を使用する等の部材が必要であり、設置作業が容易ではなく、設置費用も嵩むといった問題点があった。
本発明はこのような問題点に鑑みてなされたもので、戸外に設置しても従来の天井吊り下げ型の除湿換気装置と同じ作動が確保でき、設置部材を少なくし、且つ、ハウス外の戸外に簡単に設置でき、除湿換気の能力も向上させることができる除湿換気装置を提供しようとするものである。
【課題を解決するための手段】
【０００６】
上記課題を解決するために、請求項１の発明は、ハウスの屋外に設置する除湿換気装置であって、枠体が縦長で横幅が狭い形状で、枠体の側面中段に外気を取り入れる外気開口及び該開口に雨よけ用下向きグリルを設け、枠体の前面下段部の排気する排気開口及び該開口に雨よけ用下向きグリルを設け、かつ、該雨よけ用下向きグリルの下方近傍にドレイン水出口を配置し、枠体の背面の上段部はハウス内に連なる還気口と給気口を配置し、枠体内の中段部には顕熱交換器を設けて、外気が外気開口から該顕熱交換器を通過して給気開口に連通する通路と、ハウス内の還気が還気開口から該顕熱交換器を通過して排気開口に連通する通路とを設けハウス内の還気空気と外気とを置換してハウス内の絶対湿度と相対湿度とを低下させることを特徴とする除湿換気装置である。
請求項２の発明は、請求項１に記載の除湿換気装置において、前記枠体の下段部には排気室を配置して排気ファンと排気ファン駆動モータを設け、上段には給気室を配置して給気ファンと該ファン駆動モータを設け、排気ファン駆動モータにはモータ枠体を設けてモータを覆い、該モータ枠体の適所には外気の一部を導入する配管を設けるとともに、モータの発熱により暖まった空気を給気室に導入する配管を設けたことを特徴とする。
請求項３の発明は、請求項１又は２に記載の除湿換気装置において、前記枠体の上段部には給気室を配置して給気ファンと該ファン駆動モータを設け、該ファン駆動モータは給気室に露出させ、モータの発熱により暖まった空気を給気に混入させることを特徴とする。
【発明の効果】
【０００７】
請求項１の除湿換気装置によれば、除湿換気装置をハウス外の戸外に設置するので、設置スペース分の生産減になることはなく、日射を遮ることがなく収穫量減もない。
枠体の背面上段はハウス内に連なる還気口と給気口を設けたので、ハウス内の高い位置から給気できるので、天井吊り下げ型の除湿換気装置と同様の作動が得られ、また、断熱材が必要な箇所は給気口や給気室だけなので、断熱材を利用する部分が大幅に少なくなり断熱材の経費も少なくてすむ。
また、外気開口と排気開口の方向が異なるので、排気が回り込むことがなく、且つ、ダクトや断熱材を用いる必要がない。また、結露が生じてもドレイン水出口が排気開口及び雨よけ用下向きグリルの下側近傍に配置されているので、ドレイン水が散乱して結露が１箇所に溜まり凍結することがない。また、外気開口は枠体の中段部の側面と比較的高い位置としたので、より高い温度の空気を利用でき、特に、霜が降るような条件では、地表部分の温度が最も低くこの地表から遠ざけることができ、降雨による泥の跳ね上げ等も避けることができる。
更に、除湿換気装置を戸外に設置することから、戸外の開口には雨よけ用下向きグリルを設けたので、枠体内部に雨水等が入り込むことが少なくなる。
請求項２及び３の除湿換気装置によれば、請求項１の作用・効果に加えて、送風機の稼働モータの発熱量を排熱するのではなく、外気を暖めて給気に用いたので、別途加熱器を設けることなくより省エネになる。
【図面の簡単な説明】
【０００８】
【図１】本発明の顕熱交換器を用いる除湿換気装置の作用を説明する図、
【図２】従来の顕熱交換器を用いる除湿換気装置の概略図、
【図３】本発明の顕熱交換器を用いた除湿換気装置の実施例の概略図、
【図４】本発明の実施例に用いた顕熱交換器の斜視図、
【図５】図５（ａ）は本発明の顕熱交換器を用いた除湿換気装置の実施例の側面図、図５（ｂ）は図５（ａ）のＸ部分の拡大図、
【図６】図５（ａ）の正面からの部分透視正面図、
【図７】図５（ａ）の背面からの部分透視背面図である。
【発明を実施するための形態】
【０００９】
本発明のハウスに用いる除湿換気装置、特に、土壌が露出しトマト等の農作物や花栽培等の農事用ハウスに適用した除湿換気装置の好適な実施例を図面を参照して説明する。
【実施例１】
【００１０】
図３に示すように、本実施例の除湿換気装置１は縦長薄型の形状で農事用ハウスａに隣接した戸外に配備されている。具体的には、図５〜７に示すように、枠体２は縦長（図５(a)：高さＨ）で横巾（図６：巾Ｗ）が狭く、薄い（図５(a)：奥行きＤ）形状で、枠体２内は主に上段部Ａ、中段部Ｂ、下段部Ｃの３段に区切られ、中段部Ｂの枠体の両側面２２ａ、２２ｂには外気ＯＡを取り入れる外気口３及び該外気開口３１に雨よけ用下向きグリル３２が設けられ、枠体２の前面２１の下段部Ｃの排気する排気口４及び該排気開口４１には、図５（ａ）のＸ部分の拡大した図５（ｂ）に示すように、雨よけ用下向きグリル４２が設けられ、この雨よけ用下向きグリル４２の下方近傍にドレイン水出口５１が配置され、下段底部に設けられたドレインパン５に貯まった結露等の水を排出する。この排気開口４１及び該開口に雨よけ用下向きグリル４２からの下向きの排気ＥＡにより、ドレイン水が散乱して結露した水分のドレイン水が１箇所に溜まり凍結することがない。なお、雨よけ用下向きグリル３２、４２は、図５、６に示すように、上側に張出部３２１，４２１と下向の開口部３２２，４２２からなり上方からの雨水の進入を遮るとともに、下向きの排気ＥＡ及び下方からの外気ＯＡを吸い込むような形状である。
【００１１】
［顕熱交換器６］  
主に図５（ａ）に示すように、枠体２内の中段部Ｂには顕熱交換器６を設けるが、この顕熱交換器６は金属製で両側面６１は６角型であり、両側面６１の間には狭い間隔の空気通路が横方向に積層されており、外気通路６２と還気通路６３は交互に積層されている。
前面の手前の上部斜行面６４は還気通路６３が解放され外気通路６２が閉鎖されており、手前の下部斜行面６５は逆に外気通路６２が解放され、還気通路６３が閉鎖されている。また、背面の上部斜行面６６は外気通路６２が解放され還気通路６３が閉鎖されており、背面の下部斜行面６７は逆に還気通路６３が解放され、外気通路６２が閉鎖されている。
したがって、外気は一点鎖線に示すように、顕熱交換器６の手前の下部斜行面６５の解放されている外気通路６２から導入され、顕熱交換器６で熱交換しながら、背面の上部斜行面６６の解放されている外気通路６２から後述する給気室に案内される。一方、還気ＲＡは実線に示すように、背面の上部斜行面６６の解放されている還気通路６３から導入され、顕熱交換器６で熱交換しながら、背面の下部斜行面６７の解放されている還気通路６３から排気室４３に案内される。
本実施例の顕熱交換器６は、従来のような側面が正方形ではなく縦長の六角形であるので、同じ熱交換面積で縦長で奥行きを短くでき、薄くできるので、本実施例の除湿換気装置１の奥行きも薄くでき、設置面積を小さくすることができる。
【００１２】
［上段部Ａ、中段部Ｂ、下段部Ｃ］
次に、枠体２の内部の上段部Ａ、中段部Ｂ、下段部Ｃの構成を説明する。
図５（ａ）に示すように、枠体２の上段部Ａには、別通路を形成する還気開口７１を含む広い給気室８２が構成されている。この給気室８２は給気ファン８３とファンを駆動するファン駆動モータ８４が配置されており、給気開口８１が給気ファン８３の吹き出し側とダクト８５で連通しており、給気ファン８３の吸い込み側は、給気室８２の底面に設けられ、中段部Ｂに設けた顕熱交換器６の一方の上部斜行面６６の外気通路６２に連通する。また、ハウス室内空気を換気するために吸い込む還気開口７１は、この給気室８２内を横断するように、還気開口７１とこれに連絡する還気ダクト７２が気密に配置され、還気ダクト７２は還気室７３を介して中段部Ｂに設けた顕熱交換器６の他方の上部斜行面６４の還気通路６３に連通する。
枠体２の中段部Ｂには外気口３の外気開口３１が設けられ、この外気開口３１顕熱交換器６の下部斜行面６５は逆に外気通路６２とを含む外気室３３が設けられる。
枠体２の下段部Ｃの大部分は排気室４３で構成され、この排気室８３には排気開口４１を含む排気ファン４４とこのファンを駆動するファン駆動モータ４５が配置されており、排気ファン４４の吹出し側は排気開口４１にダクト４６で連結されている。
また、排気室８３の底面には、枠内２で結露した水分を集めるドレインパン５、及び、ドレインパン５に連通する枠体２の前面２１の外側に突出したドレイン水出口５１が設けられている。
【００１３】
［空気の流れ］
ここで、外気ＯＡ及び還気ＲＡの空気の流れを図５に沿って通路構成を説明する。
図５(ａ)で、外気ＯＡ（一点鎖線）は、下流の給気ファン８３の吸引によって、外気開口３１から外気室３３に導入され、顕熱交換器６の下部斜行面６５の外気通路６２から導入され、顕熱交換器６で熱交換した後に、上部斜行面６６の外気通路６２から給気室８２に導入され、給気ファン８３に吸い込まれ、給気ファン８３の吹出口から給気ＳＡとなって給気開口８１からハウス内に給気される。
一方、湿度の高い還気ＲＡ（実線）は、下流の排気ファン４４の吸引によって、還気開口７１及び還気ダクト７２から導入され、顕熱交換器６の上部斜行面６４の還気通路６３に吸い込まれ、顕熱交換器６で熱交換した後に、下部斜行面６７の還気通路６３にから排気室４３に導入され、排気ファン４４に吸い込まれ、排気ファン４４の吹き出し口から排気開口４１からハウス外の屋外に排気ＥＡされる。
【００１４】
［駆動モータの発熱回収］
本実施例のもう一つの特徴は、従来はこれを排熱していた排気用駆動モータの発熱を給気に利用することであり、これを図５〜図７を用いて説明する。
換気用の駆動モータの発熱量は大きく、駆動モータの発熱回収機構９を説明するが、先ず、排気ファン４４の駆動モータ４５については、駆動用のファン駆動モータ４５の全体を覆うようにモータ枠体９１を設け、モータ枠体９１の下部空間９２と外気室３３とを連通する外気配管９３を設け、一方、モータ枠体９１の上部空間９５と給気室８２とを連通する給気配管９４を設ける。
このような構成であるので、給気室８２の給気ファン８３によってモータ枠体９１の空気を吸い上げられるが、モータ枠体９１内に外気配管９３によって外気を取り入れ、ファン駆動モータ４５の発熱により、この外気が温められモータ枠体９１の天井近辺に上昇し、この温まった外気は給気配管９４によって給気室８２に導入され、顕熱交換器６で温まった給気と混ざってハウスａ内に給気ＳＡされる。
次に、給気ファン８３の駆動モータ８４については、ファン駆動モータ８４は給気室８２に露出させ、ファン駆動モータ８４の発熱により暖まった空気が給気に混入する。
したがって、駆動モータの発熱が給気に加かるので、別途に加熱装置を必要がなく、少なくとも加熱負荷を軽減することができる。
【００１５】
［作用］
本発明の除湿換気装置の実施例によれば、除湿換気装置１をハウスａ外の戸外に設置するので、設置スペース分の生産減になることはなく、日射を遮ることがなく収穫量減もない。
枠体２の背面２３の上段部Ａはハウスａ内に連なる還気口７と給気口８を設けたので、ハウスａ内の高い位置から給気できるので、天井吊り下げ型の除湿換気装置と同様の作動が得られる。また、断熱材が必要な箇所は給気口８や給気室８２だけなので、断熱材を利用する部分が大幅に少なくなり断熱材の経費も少なくてすむ。
さらに、外気開口３１は枠体２の両側面２２と排気開口の前面２１との空気流の方向が異なるので、排気が回り込むことがなく、且つ、ダクトや断熱材を用いる必要がない。また、結露が生じてもドレイン水出口５１が排気開口４１及び雨よけ用下向きグリル４２の下側近傍に配置されているので、ドレイン水が散乱して結露が１箇所に溜まり凍結することがない。また、外気開口３１は枠体２の中段部Ｂの側面と比較的高い位置としたので（もっともできれば中段部より上にすることが望ましく）、このことにより高い温度の空気を利用でき、特に、霜が降るような条件では、地表部分の温度が最も低く、この地表から遠ざけることができ、降雨による泥の跳ね上げ等も避けることができる。
また、除湿換気装置１を戸外に設置することから、戸外の開口には雨よけ用下向きグリル３２を設けたので、枠体２内部に雨水等が入り込むことが少なくなる。
また、排気ファン（送風機）４４の駆動モータ（送風機）４５の発熱量を排熱するのではなく外気を温めて給気に用い、また、給気ファン８３の駆動モータ８４を給気室８２内に露出したので駆動モータ８４の発熱を給気に加えることができるので、別途加熱器を設けること、或いは加熱費用を節減できより省エネになる。
なお、本発明の特徴を損なうものでなければ、上記の各実施例に限定されるものでないことは勿論であり、例えば、本実施例はトマト等の農作物や花栽培等の農事用ハウスに用いた除湿換気装置を説明したが、寒冷期に室（ハウス）内での湿気や結露を避ける花栽培等ハウスや納屋や倉庫等に用いても良いことは勿論である。
【００１６】
ａ  ・・農事用ハウス、Ａ・・上段部、Ｂ・・中段部、Ｃ・・下段部、
Ｄ・・奥行き、Ｈ・・高さ、Ｗ・・巾、
１・・除湿換気装置、
２・・枠体、２１・・前面、２２・・側面、２３・・背面、
３・・外気口、３１・・外気開口、
３２・・雨よけ用下向きグリル、３２１・・張出部、３２２・・開口部、
３３・・外気室、
４・・排気口、４１・・排気開口、
４２・・雨よけ用下向きグリル、４２１・・張出部、４２２・・開口部、
４３・・排気室、４４・・排気ファン、４５・・駆動モータ、４６・・ダクト、
５・・ドレインパン、５１・・ドレイン水出口、
６・・顕熱交換器、６１・・側面、６２・・外気通路、６３・・還気通路、
６４・・手前の上部斜行面、６５・・手前の下部斜行面、
６６・・背面の上部斜行面、６７・・背面の下部斜行面、
７・・還気口、７１・・還気開口、７２・・還気ダクト、７３・・還気室、
８・・給気口、８１・・給気開口、８２・・給気室、
８３・・  給気ファン、８４・・駆動モータ、８５・・ダクト、
９・・駆動モータの発熱回収機構、９１・・モータ枠体、
９２・・下部空間、９３・・外気配管、９４・・給気配管、９５・・上部空間
【手続補正２】
【補正対象書類名】図面
【補正対象項目名】図５
【補正方法】変更
【補正の内容】
【図５】
2014020768.tif 000010
【手続補正３】
【補正対象書類名】図面
【補正対象項目名】図６
【補正方法】変更
【補正の内容】
【図６】
2014020768.tif 000011